(57)【要約】【課題】テレビの転倒・盗難防止を可能とする転倒・盗難防止装置付テレビを提供することを目的とする。【解決手段】自己に及ぼす位置変化・加速度を検出するセンサと、前記センサの出力に基いて位置変化・加速度の有無を判断し出力するマイコンとを備える。マイコンが位置変化・加速度を有すると判断した旨の信号を出力する場合には、スイッチにおいて電源を商用電源から蓄電池に切り替える装置を有する。または、衝撃吸収材噴出装置を起動し衝撃吸収材を射出し衝撃吸収する装置を有する。または、ストッパを解除し内部のスプリングによって転倒時に可変長棒を出して衝撃吸収しパネル面を保護する装置を有する。または、警告音を発する、または画面に警告表示する装置を有する。または、マイコンの出力をネットワークまたはケーブル放送局に通報する装置を有する。【選択図】図１
2007214751.tif 000002
【特許請求の範囲】
【請求項１】
自己に及ぼす位置変化・加速度を検出するセンサと、前記センサの出力に基いて位置変化・加速度の有無を判断し出力するマイコンとを有する転倒・盗難防止装置付テレビ。
【請求項２】
マイコンが位置変化・加速度を有すると判断した旨の信号を出力する場合には、スイッチにおいて電源を商用電源から蓄電池に切り替える装置を、さらに有する請求項１記載の転倒・盗難防止装置付テレビ。
【請求項３】
マイコンが位置変化・加速度を有すると判断した旨の信号を出力する場合には、衝撃吸収材噴出装置を起動し衝撃吸収材を射出し衝撃吸収する装置を、さらに有する請求項１記載の転倒・盗難防止装置付テレビ。
【請求項４】
マイコンが位置変化・加速度を有すると判断した旨の信号を出力する場合には、ストッパを解除し内部のスプリングによって転倒時に可変長棒を出して衝撃吸収しパネル面を保護する装置を、さらに有する請求項１記載の転倒・盗難防止装置付テレビ。
【請求項５】
マイコンが位置変化・加速度を有すると判断した旨の信号を出力する場合には、警告音を発する、または画面に警告表示する装置を、さらに有する請求項１記載の転倒・盗難防止装置付テレビ。
【請求項６】
マイコンが位置変化・加速度を有すると判断した旨の信号を出力する場合には、
前記マイコンの出力をネットワークまたはケーブル放送局に通報する装置を、さらに有する請求項１記載の転倒・盗難防止装置付テレビ。
【発明の詳細な説明】
【技術分野】
【０００１】
本発明は、テレビの転倒・盗難防止に関するものである。
【背景技術】
【０００２】
従来、人の接触または地震等でテレビが転倒することを防止するために、固定金具を使用している（特許文献１参照。）。
【０００３】
また、テレビの盗難防止についても、監視カメラで監視するなど外部からの防止策を行っている（特許文献２参照。）。
【特許文献１】特開２００４−３０４２１３号公報
【特許文献２】特開２００２−３１４９８６号公報
【発明の開示】
【発明が解決しようとする課題】
【０００４】
しかしながら上記の従来の構成では、転倒防止用固定金具の使用について、激しい地震などの急激な揺れでは外れてしまう可能性がある。また、固定金具をつけることにより壁、家具または床に傷がつく。さらに、移動の際には移動先でも固定金具をつけなおす必要があるという問題点があった。
【０００５】
また何らかの原因で転倒した際には危険回避ができないという問題点があった。
【０００６】
さらに、盗難防止に関しては、外部から監視カメラなどで認識したりするため、複雑な処理が必要であるという問題点があった。
【０００７】
本発明は上記従来の問題点を解決するもので、テレビの転倒・盗難防止を可能とする転倒・盗難防止装置付テレビを提供することを目的とする。
【課題を解決するための手段】
【０００８】
この目的を達成するために本発明の転倒・盗難防止装置付テレビは、自己に及ぼす位置変化・加速度を検出するセンサと、前記センサの出力に基いて位置変化・加速度の有無を判断し出力するマイコンとを備えた構成を有している。
【０００９】
また、本発明の転倒・盗難防止装置付テレビは、マイコンが位置変化・加速度を有すると判断した旨の信号を出力する場合には、スイッチにおいて電源を商用電源から蓄電池に切り替える装置を有する構成を有している。
【００１０】
また、本発明の転倒・盗難防止装置付テレビは、マイコンが位置変化・加速度を有すると判断した旨の信号を出力する場合には、衝撃吸収材噴出装置を起動し衝撃吸収材を射出し衝撃吸収する装置を有する構成を有している。
【００１１】
また、本発明の転倒・盗難防止装置付テレビは、マイコンが位置変化・加速度を有すると判断した旨の信号を出力する場合には、ストッパを解除し内部のスプリングによって転倒時に可変長棒を出して衝撃吸収しパネル面を保護する装置を有する構成を有している。
【００１２】
また、本発明の転倒・盗難防止装置付テレビは、マイコンが位置変化・加速度を有すると判断した旨の信号を出力する場合には、警告音を発する、または画面に警告表示する装置を有する構成を有している。
【００１３】
また、本発明の転倒・盗難防止装置付テレビは、マイコンが位置変化・加速度を有すると判断した旨の信号を出力する場合には、前記マイコンの出力をネットワークまたはケーブル放送局に通報する装置を有する構成を有している。
【発明の効果】
【００１４】
以上のように本発明は、テレビの転倒・盗難防止を可能とする転倒・盗難防止装置付テレビを提供することができるという優れた効果が得られる。
【発明を実施するための最良の形態】
【００１５】
以下、発明の実施の形態を、図面を参照しながら説明する。
（実施の形態１）
図１は本発明の実施の形態１における転倒・盗難防止装置付テレビの構成を示すブロック図を示している。加速度センサやジャイロセンサなどの位置変動・加速度変化を検出するセンサ１２０はマイコン１３０と接続されている。外部からの急激な位置変動・加速度変化１１０があった場合センサ１２０からの加速度検知信号１８０が所定の閾値を超えた場合はマイコン１３０において転倒・盗難であると判断される。転倒・盗難であると判断された場合には転倒・盗難防止装置駆動部１７０において転倒・盗難防止装置を駆動する。
【００１６】
さらに、この場合にはコンセントが抜け、ＡＣ電源から電気が供給されないことがあるので、スイッチ１４０において電源をコンセントからのＡＣ電源１５０から蓄電池１６０に切り替える。
【００１７】
図２は本発明の実施の形態１における転倒・盗難防止装置駆動部１７０を示す図である。通常状態においては図２（ａ）、（ｃ）の状態にある。マイコン１３０が転倒・盗難であると判断した場合には、衝撃吸収材噴出装置２１０から前面の四隅の噴出孔２２０を通して衝撃吸収材２３０を射出しテレビ受信機のパネル破損を保護する。衝撃吸収材２３０は前面を覆う形状となる様に射出する。図２（ｂ）、（ｄ）は衝撃吸収材２３０を射出した後の状態を示す。
【００１８】
図３は本発明の実施の形態１における他の転倒・盗難防止装置駆動部１７０を示す図である。通常状態においては図３（ｂ）の状態にある。マイコン１３０が転倒・盗難であると判断した場合には、図３（ｃ）の状態になる。即ち、可変長棒３１０のストッパ３３０が信号検出によりはずれ、スプリング３２０が可変長棒３１０を飛びださせる。可変長棒３１０は回転軸３５０のまわりを回転する。可変長棒３１０には内部に可変長棒内部スプリング３４０を有する。可変長棒内部スプリング３４０はスプリング３２０が伸びるに伴い速やかに伸びる。その結果、可変長棒３１０の長さも伸びる。この棒は可変長であるので転倒時の姿勢で衝撃を吸収できる。この状態の外観図を図３（ａ）に示す。
【００１９】
図４は本発明の実施の形態１における他の転倒・盗難防止装置駆動部１７０を示す図である。図４（ｂ）は当該転倒・盗難防止装置駆動部１７０の構成を示すブロック図である。マイコン１３０が転倒・盗難であると判断した場合には、マイコン１３０が音声回路４３０を駆動させスピーカ４４０により警告音４１０で知らせ、画面表示制御回路４５０を駆動させディスプレイ４６０により警告表示４２０をし、人に注意を促す。これによりテレビの下敷きになったり、転倒時に怪我を負ってしまうなどの危険を知らせる。この状態の外観図を図４（ａ）に示す。
【００２０】
図５は本発明の実施の形態１における他の転倒・盗難防止装置駆動部１７０を示す図である。図５（ｂ）は当該転倒・盗難防止装置駆動部１７０の構成を示すブロック図である。マイコン１３０が転倒・盗難であると判断した場合には、マイコン１３０が、送信用モデム５１０を駆動し、ケーブルでインターネット５３０につながっている場合は、イーサネット（登録商標）や電話線経由で外部の対象者に通知する、もしくは送信用の帯域のあるケーブル規格（北米のＯｐｅｎＣａｂｌｅのＲＤＣなど）を用いるケーブルの場合は、送信用モデム５１０でケーブル放送局５４０に通知する。これにより信号検知時にテレビの持ち主の携帯電話や、セキュリティ会社へと通報することができる。閾値を段階的にし、地震検出を行わせ、ケーブル放送局５４０は程度によってニュース番組に切り替えることができる。この状態の外観図を図５（ａ）に示す。
【産業上の利用可能性】
【００２１】
本発明は、テレビ受信機の薄型による壁掛け化や、テレビ受信機の大型化に伴い、転倒時の危険性が大きくなるがそれらの危険性回避に有用である。また盗難時にも効果を発揮する。
【図面の簡単な説明】
【００２２】
【図１】本発明の実施の形態１における転倒・盗難防止装置付テレビの構成を示すブロック図
【図２】本発明の実施の形態１における転倒・盗難防止装置駆動部を示す図
【図３】本発明の実施の形態１における転倒・盗難防止装置駆動部を示す図
【図４】本発明の実施の形態１における転倒・盗難防止装置駆動部を示す図
【図５】本発明の実施の形態１における転倒・盗難防止装置駆動部を示す図
【符号の説明】
【００２３】
１００    転倒・盗難防止装置付テレビ
１１０    位置変動・加速度変化
１２０    センサ
１３０    マイコン
１４０    電源切り替えのスイッチ
１５０    コンセントからのＡＣ電源
１６０    蓄電池
１７０    転倒・盗難防止装置駆動部
１８０    加速度検知信号
２１０    衝撃吸収材噴出装置
２２０    噴出孔
２３０    衝撃吸収材
３１０    可変長棒
３２０    スプリング
３３０    可変長棒のストッパ
３４０    可変長棒内部スプリング
３５０    回転軸
４１０    警告音
４２０    警告表示
４３０    音声回路
４５０    画面表示制御回路
４４０    スピーカ
４６０    ディスプレイ
５１０    送信用モデム
５２０    警報信号
５３０    ネットワーク
５４０    ケーブル放送局
【図１】
2007214751.tif 000003
【図２】
2007214751.tif 000004
【図３】
2007214751.tif 000005
【図４】
2007214751.tif 000006
【図５】
2007214751.tif 000007